(57)【要約】【課題】遊技板とシート状の樹脂製フィルムを同一の樹脂素材を使用することによって、樹脂製フィルムが遊技板から剥離する可能性を低減することができる樹脂製遊技盤を提供する。【解決手段】発射装置から打ち出された遊技球が遊技領域を流下することで遊技が行われる弾球遊技機の樹脂製遊技盤１００において、遊技領域が形成される遊技板１０と、前記遊技板の表面又は裏面若しくは両面に貼着される樹脂製フィルム２０と、を備え、前記遊技板１０と、前記樹脂製フィルム２０とは、同一の樹脂素材からなることを特徴とした。【選択図】図１
2016195683.tif 000002
【特許請求の範囲】
【請求項１】
弾球遊技機の樹脂製遊技盤において、
遊技領域が形成される遊技板と、
前記遊技板の表面又は裏面若しくは両面に貼着される樹脂製フィルムと、
を備え、
前記遊技板と、少なくとも表面又は裏面のいずれかの前記樹脂製フィルムとは、同一の樹脂素材からなることを特徴とする樹脂製遊技盤。
【請求項２】
前記遊技板及び前記樹脂製フィルムを貼着する貼着部材は、前記遊技板及び前記樹脂製フィルムと同一の樹脂素材からなることを特徴とする請求項１に記載の樹脂製遊技盤
【請求項３】
前記遊技板及び前記樹脂製フィルムは、ポリカーボネートであることを特徴とする請求項１又は２に記載の樹脂製遊技盤。
【発明の詳細な説明】
【技術分野】
【０００１】
本発明は、パチンコ遊技機、アレンジボール遊技機、雀球遊技機等のパチンコ球を遊技媒体として用いる遊技機の樹脂製遊技盤に関する。
【背景技術】
【０００２】
近年、リサイクル性、経済性、環境性又は意匠性等の観点から、木製の合板で作製された遊技機の遊技盤に取ってかわり、樹脂製の遊技盤が採用されつつある。こうした樹脂製の遊技盤には、シート状の装飾部材が接着剤によって貼付されており、様々な図柄が表現されている（特許文献１）。特許文献１には、シート状の装飾部材に、合成樹脂シート、金属薄板、紙の表面をフィルムで覆ったもの等を使用することが記載されている。また、樹脂製遊技盤に使用する材料は、実施例として硬質の低発泡ポリスチレン樹脂を使用する旨が記載され、さらに、非発泡性のポリスチレン樹脂、ポリエステル樹脂又はポリプロピレン樹脂等のポリオレフィン樹脂、ポリ塩化ビニル樹脂、あるいは、これらの樹脂を変性又は共重合した樹脂、若しくはこれらの樹脂に合成ゴム等を混ぜあわせたもの等の市販の合成樹脂を好適に使用することができる旨が記載されている。さらに、遊戯盤は、合成樹脂を一体成形したものに限定されず、２つ以上の合成樹脂製の部品を適宜係合させたものであってもよい旨の記載がある。
【０００３】
かかる樹脂製遊技盤は、パチンコホールに設置されたパチンコ機自体から発生する熱によって、かなりの熱変化を受けている。こうした熱に対する樹脂材料の膨張率と収縮率（線膨張係数）は、樹脂の種類によって大きく異なっていることから、樹脂製遊技盤とシート状の装飾部材とで別の種類の材料を使用した場合には、熱変化に伴う異なる樹脂材料による異なる膨張率及び収縮率の影響により樹脂製遊技盤からシート状の装飾部材が剥離してしまう可能性があった。シート状の装飾部材が剥離してしまうと、その剥離部分の視認性の悪化、球飛びの悪化の原因となっていた。特に釘穴近傍でシート状の装飾部材が剥離すると、球飛びの悪化の原因となっていた。
【０００４】
また、遊技板とシート状の装飾部材とを別の種類の材料で作製し貼着した場合には、貼着工程後の加工条件及び保管条件等に著しい影響を及ぼす可能性がある。すなわち、遊技板と装飾部材とを異なる素材の組み合わせとした場合には、切削加工に使用する刃の形状、刃の回転速度等を、その最適条件が異なる遊技板と装飾部材との素材それぞれに対応し得る加工条件としなければならず、その選択が限定され難しくなるおそれがあった。また、切削加工後の遊技板の保管条件等について、単一の樹脂材としての条件で管理することが難しく、その取扱については、その樹脂製遊技盤とシート状の装飾部材の組み合わせごとに対処する必要があった。
【０００５】
さらに、遊技板とシート状の装飾部材を異なる材質で作製すると、純粋な樹脂材料の廃材ではないので、樹脂板とシート状の装飾部材とを分離するか、そのまま質の悪い樹脂材料として処理するかのいずれかになるため、リサイクルの観点から不利なものとなっていた。
【先行技術文献】
【特許文献】
【０００６】
【特許文献１】特開平１０−１１３４２８号公報
【発明の概要】
【発明が解決しようとする課題】
【０００７】
本発明は、上記課題を鑑みてなされたものであり、遊技板とシート状の樹脂製フィルムを同一の樹脂素材を使用することによって、樹脂製フィルムが遊技板から剥離する可能性を低減することができる樹脂製遊技盤を提供する。
【課題を解決するための手段】
【０００８】
本発明は、上述の主目的を達成するために以下の手段を採った。
【０００９】
本発明は、  弾球遊技機の樹脂製遊技盤において、
遊技領域が形成される遊技板と、
前記遊技板の表面又は裏面若しくは両面に貼着される樹脂製フィルムと、
を備え、
前記遊技板と、少なくとも表面又は裏面のいずれかの前記樹脂製フィルムとは、同一の樹脂素材からなることを特徴とする。
【００１０】
本発明にかかる樹脂製遊技盤によれば、遊技板と樹脂製フィルムを同一の素材で作製されているので、それぞれの膨張率と収縮率が同一となる。そのため、異なる素材であると収縮率及び膨張率の異なる遊技板と樹脂製フィルムとが貼着面で微細なズレを繰り返す可能性があるが、これを低減することができる。これにより、樹脂製フィルムが遊技板から剥離する可能性を低減することができる。また、同一の素材であれば、その素材に絞って適した加工器具を使用することができるので、切削等の加工がしやすい遊技盤とすることができる。さらに、同一素材であるのでリサイクルにも有利な遊技盤とすることができる。
【００１１】
また、本発明にかかる樹脂製遊技盤において、前記遊技板及び前記樹脂製フィルムを貼着する貼着部材は、前記遊技板及び前記樹脂製フィルムと同一の樹脂素材からなることを特徴とするものであってもよい。かかる構成を採用することによって、貼着部材も遊技板及び樹脂製フィルムと同様の膨張率と収縮率となるため、より効果的に前述した効果を発揮することができる。
【００１２】
さらに、本発明にかかる樹脂製遊技盤において、前記遊技板及び前記樹脂製フィルムは、ポリカーボネートであることを特徴とするものであってもよい。
【発明の効果】
【００１３】
本発明にかかる樹脂製遊技盤によれば、遊技板及び樹脂製フィルムと同様の膨張率と収縮率を有する樹脂製遊技盤を提供することができる。
【図面の簡単な説明】
【００１４】
【図１】図１は、実施形態にかかる樹脂製遊技盤１００を示す分解斜視図である。
【図２】図２は、実施形態にかかる樹脂製遊技盤１００の断面図である。
【図３】図３は、実施形態にかかる樹脂製遊技盤１００の釘穴１６を示す斜視図である。
【発明を実施するための形態】
【００１５】
上記簡単に説明した図面に基づいて、本発明を実施するための形態を詳細に説明する。なお、本明細書及び特許請求の範囲において、「貼着」とは、それぞれが容易に分離できない状態を示し、接着、粘着等の接合可能なものであれば、種々の手段を採用することができる。「フィルム」とは、シートをも含む概念であり、特に厚さによって区別するものではなく、比較的厚いプラスチックシートを除外するものではない。「遊技盤」とは、樹脂製フィルムを貼着した後の弾球遊技機の遊技盤を示し、「遊技板」とは、樹脂製フィルムを貼着する前の遊技盤を示す。
【００１６】
（実施形態）
実施形態に樹脂製遊技盤１００が図１に示されている。図１は、樹脂製遊技盤１００の背面側を示す分解斜視図である。図２は、樹脂製遊技盤１００の断面図である。なお、図示した樹脂製フィルム２０は、視認性向上のため実際の製品よりかなり厚く図示されており、各層の厚さの比は、現実の樹脂製フィルム２０の厚さの比率を反映したものではない。
【００１７】
実施形態にかかる樹脂製遊技盤１００は、主として、遊技板１０、この遊技板１０の表面及び裏面に貼付される樹脂製フィルム２０とを備えている。
【００１８】
遊技板１０は、図１に示すように、パチンコ遊技機等に使用される板であり、ポリメタクリル酸メチル等のアクリル樹脂、ポリエチレンテレフタレート、ＡＢＳ樹脂、ポリカーボネート又はポリスチロール等の合成樹脂を用いて、射出成形又は押出成形によって作製される。本発明は、遊技板１０と樹脂製フィルム２０とが同一の材料を使用することから、好ましくは、樹脂製フィルムとして使用するのにも好適な素材であるポリメタクリル酸メチル等のアクリル樹脂、又はポリカーボネートを使用するとよい。遊技板１０は、透明であっても、不透明であってもよいし、無色であっても、有色であっても構わない。遊技板１０は、全体が矩形に形成され、図２のＡ−Ａ断面図に示すように、少なくとも遊技領域を形成する部位は障害釘９０（図３参照）が植設可能な８ｍｍ〜２０ｍｍの厚さを有し、その外周は肉抜部１５が形成され、さらにその外周は補強リブ１３が形成されている。遊技板１０には、図柄変動表示装置（電子ディスプレイ）が取り付けられる大開口部１１と、大開口部１１と比較して小さい可動型入賞口、大入賞口等の各種入賞装置、ランプその他の装飾体を取り付けるための小開口部１２が形成されている。これら大開口部１１及び小開口部１２は、射出成形においては同時に成形してもよいし、射出成形の後又は押出成形の後、ＮＣルーター加工機等による切削加工によって別工程で作製してもよい。障害釘の釘穴１６は、図３に示すように、遊技板１０の表面側の一定の内径を有する大口径部１６ａを形成し、この大口径部１６ａより奥側（背面側）は、大口径部１６ａより内径の小さな小口径部１６ｂを形成している。すなわち、釘穴１６の内周面は段付きの円筒形状に形成されている。また、釘穴１６は、釘頭が上方に傾くように傾斜角５〜１５°程度斜めに傾斜して設けられている。
【００１９】
樹脂製フィルム２０は、合成樹脂製のフィルムであり、実施形態においては、図２のＡ−Ａ断面図に示すように、表側（図２中下側）の表側樹脂製フィルム２０ａには、貼着部材２２及びハードコート層２５が形成されており、裏側（図２中上側）の裏側樹脂製フィルム２０ｂには、遊技盤に絵柄、図柄、画像，模様又は文字等によって装飾を施す印刷面２７と貼着部材２２が形成されている。ハードコート層２５は、樹脂製遊技盤１００の表面を保護するためのものであり、主として表面側樹脂製フィルム２０ａに設けられるが、これに限定するものではなく、裏側樹脂製フィルム２０ｂに設けても構わない。印刷面２７は、遊技板１０の表面に絵柄、図柄、画像，模様又は文字等によって装飾又は表示するためのものであり、本実施形態においては、透明な遊技板を使用しているため、裏側樹脂製フィルム２０ｂに設けているが、表側樹脂製フィルム２０ａに設けても構わないし、表側及び裏側の両方の樹脂製フィルム２０に設けて立体的に見えるようにしても構わない。樹脂製フィルム２０は、耐透湿性と気体透過性とを考慮して選択されたプラスチック素材で作製される。プラスチック素材としては、ポリメタクリル酸メチル等のアクリル樹脂、ポリエチレンテレフタレート、ＡＢＳ樹脂、ポリカーボネート又はポリスチロール等の合成樹脂が挙げられる。好ましくは、適度に耐透湿性、気体透過性を有するため、引っ張り強さが強く、適度な伸びもあり、腰が強く、弾性回復性が優れている等の特性から加工の面でも取り扱いやすく、かつ遊技板１０の素材としても好適に使用できるポリメタクリル酸メチル等のアクリル樹脂、又はポリカーボネートを使用するとよい。樹脂製フィルム２０の厚さは限定するものではないが、樹脂製フィルム２０の剛性によって取り扱いづらくなることから、適度な腰を有する１０μｍから２００μｍ程度の厚さのものを使用するとよい。
【００２０】
貼着部材２２は、遊技板１０と貼着する層であり、接着剤又は粘着剤で形成される。粘着剤の例としては、限定するものではないが、ポリウレタン系粘着剤、アクリル系粘着剤、シリコン系粘着剤、ゴム系粘着剤、ポリエステル系粘着剤、ポリビニルブチラール系粘着剤、エチレン−酢酸ビニル系粘着剤等が挙げられる。好ましくは、アクリル系の二液混合型のものが好ましく、より好ましくは、アクリル酸エステル共重合体を含むものがよい。また、粘着剤の機能の面からは、溶剤型粘着剤、熱硬化型粘着剤、活性エネルギー線硬化型粘着剤等いずれであってもよい。遊技板１０及び樹脂製フィルム２０にアクリル樹脂を使用した場合には、アクリル系の粘着剤を使用するとよい。
【００２１】
ハードコート層２５は、樹脂製フィルム２０の表面に形成され、樹脂製フィルム２０を自然劣化や遊技球の流下により生じる摩耗から保護する機能を有する。ハードコート層２５としては、熱硬化性樹脂や活性エネルギー線硬化性樹脂を主成分とする樹脂を用いるとよい。上記熱硬化性樹脂としては、熱によって重合又は架橋する、アクリル系樹脂、ポリエステル系樹脂、ポリウレタン系樹脂等が挙げられる。上記活性エネルギー線硬化性樹脂は、紫外線や電子線等の活性エネルギー線によって重合・硬化する樹脂である。活紫外線硬化型樹脂としては、ウレタン系、ポリエステル系、エポキシ系、ポリオール系の（メタ）アクリル酸変性された樹脂の各種オリゴマー、モノマー等に光開始剤が添加されたものを用いることができる。これらの中でもウレタンアクリレート、ポリエステルアクリレート、エポキシアクリレート、ウレタンメタクリレート、ポリエステルメタクリレート、エポキシメタクリレート等の分子末端にアクリル基又はメタクリル基を有しているものが好適に使用できる。好ましくは、樹脂製フィルムと同様の樹脂系素材を使用すると良い。樹脂製フィルム２０の表面にハードコート層２５を設けることによって、表面の鉛筆硬度は、樹脂製フィルム２０の鉛筆硬度に対して２段階〜４段階程度硬度が向上する。最終的な表面の鉛筆硬度は、Ｈ以上が好ましく、３Ｈ以上がより好ましい。
【００２２】
印刷面２７は、樹脂製フィルム２０に絵柄、図柄、画像，模様、文字等又はこれらの組み合わせ等が印刷された層である。印刷には、着色インクを用いた通常のオフセット印刷、ＵＶオフセット印刷、スクリーン印刷、グラビア印刷等の中から任意に選択して行うことができる。印刷塗料には、遊技板１０及び樹脂製フィルム２０と同系の樹脂系塗料を使用することが好ましい。印刷を施した樹脂製フィルム２０は、例えば、以下のようにして作製される。まず、樹脂製フィルム２０として、例えば厚さ５０μｍのポリエチレンテレフタレート製のフィルムを用意し、多色印刷機を用いて所定の絵柄をグラビア印刷し、装飾フィルムを作製する。グラビア印刷は、シアン（Ｃ）、マゼンダ（Ｍ）、イエロー（Ｙ）及びキートーン（Ｋ）の各印刷ユニットで印刷される。それぞれの印刷ユニットではそれぞれの色を印刷した後、数秒間熱乾燥し、後工程の印刷ユニットに送られる。また、本発明の印刷を施した樹脂製フィルム２０と貼着部材２２の間にさらに樹脂製フィルム２０を挟んでも良い。樹脂製フィルム２０の印刷と貼着部材２２との間に樹脂製フィルム２０を挟むことにより、印刷の湿気が貼着部材２２に到達することが防止され、貼着部材２２の強度が印刷の乾燥状態によって劣化する等の影響を受けることが防止される。
【００２３】
以上のように構成された遊技板１０及び樹脂製フィルム２０は、貼付機によって、貼着される。そして、必要に応じてＮＣルーター加工機等による切削加工により、大開口部１１、小開口部１２及び釘穴１６が加工される。このため、釘穴１６部分の表側樹脂製フィルム２０ａには、表側の大口径部１６ａと同じ径の表側樹脂フィルム開口部２１ａが形成され、裏側樹脂製フィルム２０ｂには、裏側の小口径部１６ｂと同じ径の裏側樹脂フィルム開口部２１ｂが形成される。障害釘９０は大口径部１６ａの内周に接触しないように、表側から小口径部１６ｂに取り付けられる。
【００２４】
大開口部１１、小開口部１２及び釘穴１６を加工する場合に、切削加工が施された近傍は、加工そのもの又は、加工中の熱等の影響により剥離が生じやすい。特に釘穴１６については、遊技板１０に樹脂製フィルム２０を貼着した後に切削加工が施され、樹脂製遊技盤１００の表面に多数設けられることからその影響は大きいものとなる。また、遊技板１０の表面及び裏面の両面に樹脂製フィルム２０を貼着する場合、釘穴１６は前後方向に貫通加工されるため、表側樹脂製フィルム２０ａと裏側樹脂製フィルム２０ｂとで遊技板１０の両面ともに釘穴近傍に剥離が生じやすくなる。しかし、樹脂製の遊技板１０と遊技板１０の表面に貼着される樹脂製フィルム２０とが同一の樹脂で作製することによって、遊技板１０と樹脂製フィルム２０の両方に対して、最適な加工条件で加工することができるため、このような剥離の発生を低減することができる。
【００２５】
また、パチンコホールに設置された樹脂製遊技盤１００は、制御基板による発熱の影響で遊技機の内部に熱がこもりやすく、樹脂製遊技盤１００の表面側と裏面側において温度差が生じるため、樹脂製フィルム２０の剥離を貼着部材２２の選定のみでは解決することができない困難な環境下におかれている。こういった環境下におかれた場合であっても、樹脂製の遊技板１０と遊技板１０の表面に貼着される樹脂製フィルム２０とが同一の樹脂で作製されていることから、遊技板１０と樹脂製フィルム２０が同じように膨張と収縮を繰り返すため、温度変化による膨張率や収縮率（線膨張係数）の影響を抑制することができる。従って、遊技板１０から樹脂製フィルム２０が剥離し、視認性の悪化、球飛びの悪化を未然に防止することができる樹脂製の樹脂製遊技盤１００とすることができる。特に釘穴１６近傍における樹脂製フィルム２０の剥離を効果的に防止することができる。
【００２６】
また、遊技板１０と樹脂製フィルム２０とを同一の種類の材料で形成し、貼着した場合には、切削加工に使うドリルの刃の形状やその回転速度や加工時間の条件設定が容易となる。さらに、切削加工後の樹脂製遊技盤の保管状態等について、単一の樹脂材としての条件で管理することができる。
【００２７】
さらに、遊技板１０と樹脂製フィルム２０を同一の材質にしておくことで、遊技板１０と合成樹脂との両方を分別する必要がなく、単一の樹脂材として処理することができる。そのためリサイクルの観点からも優れた樹脂製遊技盤１００とすることができる。
【００２８】
さらに、貼着部材２２、印刷塗料及びハードコート層２５をも遊技板１０及び樹脂製フィルム２０と同一の素材とすることで、さらに、遊技板１０と樹脂製フィルムの剥離の防止、加工条件、保管条件の有利性、リサイクルの優位性に優れた樹脂製遊技盤１００とすることができる。
【００２９】
なお、本発明は上述した実施形態に何ら限定されることはなく、本発明の技術的範囲に属する限り種々の態様で実施し得ることはいうまでもない。
【産業上の利用可能性】
【００３０】
上述した実施の形態で示すように、遊技球を遊技媒体として用いる遊技機の遊技板を作製するのに利用することができる。
【符号の説明】
【００３１】
１０…遊技板、１１…大開口部、１２…小開口部、１３…補強リブ、１５…肉抜部、１６…釘穴、１６ａ…大口径部、１６ｂ…小口径部、２０…樹脂製フィルム、２２…貼着部材、２５…ハードコート層、２７…印刷面、９０…障害釘、１００…樹脂製遊技盤
【図１】
2016195683.tif 000003
【図２】
2016195683.tif 000004
【図３】
2016195683.tif 000005